【手続補正書】
【提出日】平成24年1月19日(2012.1.19)
【手続補正１】
【補正対象書類名】特許請求の範囲
【補正対象項目名】全文
【補正方法】変更
【補正の内容】
【特許請求の範囲】
【請求項１】
組織除去システムであって、
近位および遠位端を有する管状部材と、
該管状部材の該遠位端から動作可能に延出可能であって、自身の間の組織を治療するように構成される第１および第２の電極を含むスネア部であって、該スネア部は、該治療された組織を切断するために、該第１と第２の電極との間に位置付けられる切除部材をさらに含む、スネア部と
を備える、システム。
【請求項２】
前記管状部材の前記近位端に動作可能に連結されるハンドル部をさらに備える、請求項１に記載の組織除去システム。
【請求項３】
前記ハンドル部は、ユーザによる動作可能な係合のために構成される、請求項２に記載の組織除去システム。
【請求項４】
前記切除部材は、近位方向に引っ張られる時のみ切断するように構成される、請求項１に記載の組織除去システム。
【請求項５】
前記組織は、ポリープであって、前記第１および第２の電極は、該ポリープの茎を把持するように構成される、請求項１に記載の組織除去システム。
【請求項６】
前記第１および第２の電極は、前記切除部材にヒンジ結合される、請求項２に記載の組織除去システム。
【請求項７】
前記スネア部は、前記管状部材内に後退させられるように構成される、請求項１に記載の組織除去システム。
【請求項８】
前記第１および第２の電極は各々、組織接触表面および絶縁本体部から形成される、請求項１に記載の組織除去システム。
【請求項９】
電気外科発電機をさらに含む、請求項１に記載の組織除去システム。
【請求項１０】
前記第１および第２の電極は、前記電気外科発電機に電気的に連結され、該発電機は、両極の態様で該第１および第２の電極にエネルギーを送達するように構成される、請求項９に記載の組織除去システム。
【請求項１１】
前記管状部材の前記遠位端は、前記第１および第２の電極が、互いに接触するのを防止するためのスペーサ部材を含む、請求項１に記載の組織除去システム。
【請求項１２】
前記第１および第２の電極のうちの少なくとも１つは、該第１と第２の電極との間の接触を防止するために、その上に搭載されるスペーサを含む、請求項１に記載の組織除去システム。
【請求項１３】
組織除去システムであって、
エネルギーを発生させ、エネルギーを組織除去装置に送達するように構成される発電機を備え、該組織除去装置は、
近位および遠位端を有する管状部材と、
該管状部材の該近位端から動作可能に延出するハンドル部と、
該管状部材内に摺動可能に支持され、該管状部材の該遠位端から延出するように構成されるスネア部であって、該スネア部は、自身の間の組織を治療するために、該発電機からのエネルギーを受容するために、そこに動作可能に搭載される第１および第２の電極を含む、スネア部と、
該第１と第２の電極との間に位置付けられ、該治療された組織を切断するように構成される、切除部材と
を備え、該第１および第２の電極のうちの少なくとも１つは、該第１と第２の電極との間の接触を防止するために、その上に搭載される少なくとも１つのスペーサを含む、システム。
【請求項１４】
前記スネア部は、非導電性材料から形成される、請求項１３に記載の組織除去システム。
【請求項１５】
前記エネルギーは、無線周波数、超音波、マイクロ波、およびレーザから成る群から選択される、請求項１３に記載の組織除去システム。
【請求項１６】
組織を除去するシステムであって、
組織除去装置であって、該組織除去装置は、スネア部と、該組織除去装置に動作可能に搭載される第１および第２の電極と、該第１と第２の電極との間に位置付けられる切除部材とを含む、組織除去装置と
を備え、
該スネア部は、身体の組織塊を囲繞するために延出されるように構成され、
該スネア部は、該第１と第２の電極との間の該組織塊を捕捉するために後退されるように構成され、
該システムは、エネルギーを該第１および第２の電極に送達する手段をさらに備え、
該スネア部は、該身体から該組織塊を切断するためにさらに後退されるように校正される、システム。
【請求項１７】
前記エネルギーを前記第１および第２の電極に送達する手段は、前記組織塊を封着する手段をさらに含む、請求項１６に記載のシステム。
【請求項１８】
エネルギー送達の間、前記組織塊の電気的特性を監視する手段と、
所定の条件を検出する手段と、
該組織塊の切断準備ができたことを合図する手段と
をさらに含む、請求項１７に記載のシステム。
【手続補正２】
【補正対象書類名】明細書
【補正対象項目名】００１２
【補正方法】変更
【補正の内容】
【００１２】
方法は、管状部材に対してスネア部を部分的に前進させるステップと、ポリープに対して管状部材およびスネア部を後退させるステップと、周囲組織からポリープを切断するステップとをさらに含んでもよい。
例えば、本発明は以下の項目を提供する。
（項目１）
組織除去システムであって、
近位および遠位端を有する管状部材と、
該管状部材の該遠位端から動作可能に延出可能であって、自身の間の組織を治療するように構成される第１および第２の電極を含むスネア部であって、該スネア部は、該治療された組織を切断するために、該第１と第２の電極との間に位置付けられる切除部材をさらに含む、スネア部と
を備える、システム。
（項目２）
上記管状部材の上記近位端に動作可能に連結されるハンドル部をさらに備える、項目１に記載の組織除去システム。
（項目３）
上記ハンドル部は、ユーザによる動作可能な係合のために構成される、項目２に記載の組織除去システム。
（項目４）
上記切除部材は、近位方向に引っ張られる時のみ切断するように構成される、項目１に記載の組織除去システム。
（項目５）
上記組織は、ポリープであって、上記第１および第２の電極は、該ポリープの茎を把持するように構成される、項目１に記載の組織除去システム。
（項目６）
上記第１および第２の電極は、上記切除部材にヒンジ結合される、項目２に記載の組織除去システム。
（項目７）
上記スネア部は、上記管状部材内に後退させられるように構成される、項目１に記載の組織除去システム。
（項目８）
上記第１および第２の電極は各々、組織接触表面および絶縁本体部から形成される、項目１に記載の組織除去システム。
（項目９）
電気外科発電機をさらに含む、項目１に記載の組織除去システム。
（項目１０）
上記第１および第２の電極は、上記電気外科発電機に電気的に連結され、該発電機は、両極の態様で該第１および第２の電極にエネルギーを送達するように構成される、項目９に記載の組織除去システム。
（項目１１）
上記管状部材の上記遠位端は、上記第１および第２の電極が、互いに接触するのを防止するためのスペーサ部材を含む、項目１に記載の組織除去システム。
（項目１２）
上記第１および第２の電極のうちの少なくとも１つは、該第１と第２の電極との間の接触を防止するために、その上に搭載されるスペーサを含む、項目１に記載の組織除去システム。
（項目１３）
組織除去システムであって、
エネルギーを発生させ、エネルギーを組織除去装置に送達するように構成される発電機を備え、該組織除去装置は、
近位および遠位端を有する管状部材と、
該管状部材の該近位端から動作可能に延出するハンドル部と、
該管状部材内に摺動可能に支持され、該管状部材の該遠位端から延出するように構成されるスネア部であって、該スネア部は、自身の間の組織を治療するために、該発電機からのエネルギーを受容するために、そこに動作可能に搭載される第１および第２の電極を含む、スネア部と、
該第１と第２の電極との間に位置付けられ、該治療された組織を切断するように構成される、切除部材と
を備え、該第１および第２の電極のうちの少なくとも１つは、該第１と第２の電極との間の接触を防止するために、その上に搭載される少なくとも１つのスペーサを含む、システム。
（項目１４）
上記スネア部は、非導電性材料から形成される、項目１３に記載の組織除去システム。
（項目１５）
上記エネルギーは、無線周波数、超音波、マイクロ波、およびレーザから成る群から選択される、項目１３に記載の組織除去システム。
（項目１６）
組織を除去する方法であって、
スネア部と、そこに動作可能に搭載される第１および第２の電極と、該第１と第２の電極との間に位置付けられる切除部材とを含む、組織除去装置を提供することと、
該スネア部を延出させ、身体の組織塊を囲繞することと、
該スネア部を後退させ、該第１と第２の電極との間の該組織塊を捕捉することと、
エネルギーを該第１および第２の電極に送達することと、
該スネア部をさらに後退させ、該身体から該組織塊を切断することと
を含む、方法。
（項目１７）
エネルギーを上記第１および第２の電極に送達することは、上記組織塊を封着することをさらに含む、項目１６に記載の方法。
（項目１８）
エネルギー送達の間、上記組織塊の電気的特性を監視することと、
所定の条件を検出することと、
該組織塊の切断準備ができたことを合図することと
をさらに含む、項目１７に記載の方法。